(57)【要約】【課題】　発電装置が作動し始めた際に、ＩＣや発振回路等の電子回路を迅速に作動させることができる電子機器を提供すること。【解決手段】　電子機器は、電源装置である発電機（２０）と、発電された電力を蓄積するコンデンサ（３０）と、コンデンサの電力で駆動されるロジック回路（１７０）と、電源カットオフ回路（３１）とを備える。電源カットオフ回路（３１）は、発電機の作動開始時に、コンデンサ（３０）の電圧が設定電圧に達するまではロジック回路（１７０）に電力を供給せず、設定電圧以上になった際にコンデンサからロジック回路に電力を供給する。これにより、発電開始時のリーク電流を防止でき、発電電力の殆どをコンデンサに蓄積できるため、コンデンサを迅速に蓄電でき、コンデンサで駆動する電子回路の作動開始までの時間も短縮できる。【選択図】　　　図３
2004135497.tif 000002
【特許請求の範囲】
【請求項１】
　電源装置と、この電源装置からの電力が蓄積される蓄電装置と、この蓄電装置からの電力で駆動される電子回路とを備える電子機器において、
　前記蓄電装置の電圧が設定電圧に達するまでは前記蓄電装置から前記電子回路に電力を供給せず、蓄電装置の電圧が設定電圧以上になった際に前記蓄電装置から電子回路に電力を供給する電力供給制御装置を備えることを特徴とする電子機器。
【請求項２】
　請求項１に記載の電子機器において、
　前記電源装置は、発電装置であり、
　前記電力供給制御装置は、前記発電装置の作動が開始された際に、前記蓄電装置の電圧が設定電圧に達するまでは前記蓄電装置から前記電子回路に電力を供給せず、蓄電装置の電圧が設定電圧以上になった際に前記蓄電装置から電子回路に電力を供給するように構成されていることを特徴とする電子機器。
【請求項３】
　請求項１または請求項２に記載の電子機器において、
　前記電力供給制御装置は、蓄電装置の電圧と設定電圧とを比較する比較回路と、前記比較回路の作動および停止動作を制御する作動制御装置とを備えることを特徴とする電子機器。
【請求項４】
　請求項３に記載の電子機器において、
　前記電子回路は、前記電力供給制御装置を介し前記蓄電装置の電圧で駆動される定電圧回路と、この定電圧回路の出力によって駆動される発振回路と、前記発振回路が発振しているか否かを検出して発振検出信号を出力する発振検出回路とを備えるとともに、前記作動制御装置は、発振検出回路の発振検出信号に応じて前記比較回路の作動および停止動作を制御することを特徴とする電子機器。
【請求項５】
　請求項４に記載の電子機器において、
　前記作動制御装置は、発振回路が発振している間は前記比較回路を停止させ、
発振停止中は比較回路を作動させることを特徴とする電子機器。
【請求項６】
　請求項１または請求項２に記載の電子機器において、
　前記電力供給制御装置は、蓄電装置の電圧が上昇して第１の設定電圧以上になった際に前記蓄電装置から電子回路に電力を供給するとともに、第１の設定電圧以下に設定された第２の設定電圧よりも蓄電装置の電圧が小さくなった際に前記蓄電装置から電子回路への電力供給を停止することを特徴とする電子機器。
【請求項７】
　請求項１または請求項２に記載の電子機器において、
　前記電子回路には発振回路が設けられ、
　前記電力供給制御装置は、蓄電装置の電圧が第１の設定電圧以上に上昇した際に前記蓄電装置から電子回路に電力を供給するとともに、蓄電装置の電圧が小さくなって前記発振回路が停止した際に前記蓄電装置から電子回路への電力供給を停止することを特徴とする電子機器。
【請求項８】
　請求項１〜７のいずれかに記載の電子機器と、この電子機器の電子回路で調速制御される時刻表示装置とを備えることを特徴とする電子制御式時計。
【請求項９】
　請求項８に記載の電子制御式時計において、
　前記発電装置は、機械エネルギー伝達手段を介して連結される機械的エネルギ源で駆動され、
　前記時刻表示装置は、前記機械エネルギー伝達手段に結合されて前記電子回路で発電装置を制御することで調速されることを特徴とする電子制御式時計。
【請求項１０】
　電源装置と、この電源装置からの電力が蓄積される蓄電装置と、この蓄電装置からの電力で駆動される電子回路とを備える電子機器における電源制御方法であって、
　前記蓄電装置の電圧が設定電圧に達するまでは前記蓄電装置から前記電子回路に電力を供給せず、蓄電装置の電圧が設定電圧以上になった際に前記蓄電装置から前記電子回路に電力を供給することを特徴とする電源制御方法。
【請求項１１】
　請求項１０に記載の電源制御方法において、
　前記電源装置は、発電装置であり、
　前記発電装置の作動が開始された際に、前記蓄電装置の電圧が設定電圧に達するまでは前記蓄電装置から前記電子回路に電力を供給せず、蓄電装置の電圧が設定電圧以上になった際に前記蓄電装置から前記電子回路に電力を供給することを特徴とする電源制御方法。
【請求項１２】
　請求項１０または請求項１１に記載の電源制御方法であって、
　前記蓄電装置の電圧が低下して第２の設定電圧よりも小さくなった際に、前記蓄電装置から電子回路への電力供給を停止することを特徴とする電源制御方法。
【請求項１３】
　請求項１０または請求項１１に記載の電源制御方法であって、
　前記電子回路には発振回路が設けられ、前記蓄電装置の電圧が低下して前記発振回路が停止した際に、前記蓄電装置から電子回路への電力供給を停止することを特徴とする電源制御方法。
【発明の詳細な説明】
【技術分野】
【０００１】
　本発明は、電子機器、この電子機器を有する電子制御式時計および電源制御方法に関する。
【背景技術】
【０００２】
　ゼンマイが開放する時の機械エネルギを発電機で電気エネルギに変換し、その電気エネルギにより回転制御装置を作動させて発電機のコイルに流れる電流値を制御することにより、輪列に固定される指針を正確に駆動して正確に時刻を表示する電子制御式機械時計として、特開平８−５７５８号公報に記載されたものが知られている。
【０００３】
　この際、電気エネルギを供給する電源装置である発電機からの電気エネルギを一旦、コンデンサ（蓄電装置）に供給し、このコンデンサからの電力で回転制御装置を駆動しているが、このコンデンサには発電機の回転周期と同期した交流の起電力が入力されるため、ＩＣ（電子回路、ロジック回路）や発振回路（水晶振動子）を備える回転制御装置の動作を可能とするための電力を長期間保持する必要がなかった。このため、ＩＣや発振回路を数秒程度動作可能な静電容量の比較的小さなコンデンサ、例えば１０μＦ程度のコンデンサが用いられていた。
【０００４】
　この電子制御式機械時計は、指針の駆動をゼンマイを動力源とするためにモータが不要であり、部品点数が少なく安価であるという特徴がある。その上、電子回路を作動させるのに必要な僅かな電気エネルギを発電するだけでよく、少ない入力エネルギで時計を作動することもできた。
【発明の開示】
【発明が解決しようとする課題】
【０００５】
　しかしながら、このような従来の電子制御式機械時計は、以下の課題を有している。すなわち、通常は竜頭を引き出して行う時刻修正操作（針合わせ操作）を行う場合、正確に時刻を合わせられるように、時、分、秒の各指針を停止させていた。指針を停止することは、輪列を停止させることになるため、発電機も停止されていた。
【０００６】
　このため、発電機からコンデンサへの起電力の入力が停止する一方で、ＩＣや発振回路は駆動し続けるため、コンデンサに蓄えられた電荷はＩＣ側に放電されて端子電圧が低下し、その結果、回転制御装置つまり発振回路等も停止していた。
【０００７】
　なお、ＩＣの発振が停止した場合には、消費電流は少なくなり、コンデンサの電圧低下も非常に遅くなるため、時刻修正操作に手間取ってコンデンサの電圧が発振停止電圧を下回った場合には、通常、コンデンサは、発振停止電圧よりもやや低下した０．３〜０．４Ｖ程度の電圧になることが多い。また、時刻修正操作（針合わせ時間）が数十分以上と非常に長くなると、コンデンサが完全に放電してその電圧が「０」まで低下することもある。
【０００８】
　そして、針合わせを終えて竜頭を押し込み、発電機が回転を開始しても、発電機の充電電流によりコンデンサの電圧が上昇し、発振回路やＩＣが作動し始めるまでに時間がかかっていた。特に、発電電流が微少な場合には、ＩＣのリークによって電流が消費され、コンデンサの電圧が上昇しないので、システムがなかなか立ち上がらなかった。このため、ブレーキ制御が開始されて正確な時間制御を行うまでに時間を要してしまい、時刻修正操作（針合わせ操作）をしたのにもかかわらず、時刻指示に誤差が生じるという問題があった。
【０００９】
　さらに、電子制御式機械時計以外でも、回転錘を動かして発電する自動巻発電式時計や、ソーラー充電式時計等の各種の発電装置（電源装置）を備える電子制御式時計においても、針合わせ時等で発電装置が停止して蓄電装置が放電した際に、ＩＣのリーク等によって発電装置が作動しても電子回路が作動するまでに時間がかかるという同様の問題があった。
【００１０】
　また、電子制御式時計以外でも、発電装置（電源装置）、蓄電装置およびＩＣや発振回路等の電子回路を備える各種電子機器や、発電装置の代わりに商用電源やカーバッテリー等の電源（電源装置）を備える各種電子機器が存在するが、これらの電子機器においても発電装置の立上り時や電源からの電力供給開始時等の電源装置の作動開始時に、ＩＣのリーク等によってＩＣや発振回路が作動するまでに時間がかかるという問題があった。
【００１１】
　本発明の目的は、電源装置が作動し始めた際に、ＩＣや発振回路等の電子回路を迅速に作動させることができる電子機器、電子制御式時計および電源制御方法を提供することにある。
【課題を解決するための手段】
【００１２】
　本発明の電子機器は、電源装置と、この電源装置からの電力が蓄積される蓄電装置と、この蓄電装置からの電力で駆動される電子回路とを備える電子機器において、前記蓄電装置の電圧が設定電圧に達するまでは前記蓄電装置から前記電子回路に電力を供給せず、蓄電装置の電圧が設定電圧以上になった際に前記蓄電装置から電子回路に電力を供給する電力供給制御装置を備えることを特徴とするものである。
【００１３】
　本発明では、発電装置等の電源装置から供給される電力は蓄電装置に蓄電される。この際、電力供給制御装置によって、蓄電装置の電圧が設定電圧に達するまでは、蓄電装置から電子回路へは電力が供給されないようにしているので、従来のように、電源装置からの供給電力の一部が電子回路に流れてしまうリーク電流が発生せず、供給電力（発電電力等）のほとんどすべてを蓄電装置に供給できる。このため、蓄電装置の電圧をＩＣ等の電子回路が確実に動作できる電圧までに蓄積する時間を短縮することができ、ＩＣや発振回路等の電子回路が作動されるまでの時間を短縮することができる。
【００１４】
　さらに、水晶発振回路は、水晶振動子の特性により、変動の大きな電圧を一度に加えたほうが、徐々に大きくなる電圧を加えた場合に比べて発振しやすい、つまり低電圧でも発振することができる。このため、蓄電装置の電圧が設定電圧になってからその電圧を電子回路に加えることで、比較的大きな電圧を一度に電子回路に印加でき、電子回路の水晶発振回路の発振開始時間をより早くすることができる。
【００１５】
　ここで、前記電源装置は発電装置であり、前記電力供給制御装置は、前記発電装置の作動が開始された際に、前記蓄電装置の電圧が設定電圧に達するまでは前記蓄電装置から前記電子回路に電力を供給せず、蓄電装置の電圧が設定電圧以上になった際に前記蓄電装置から電子回路に電力を供給するように構成されていることが好ましい。
【００１６】
　電源装置としては、商用電源やカーバッテリー等も利用できるが、ロータを回転させて電磁変換により発電する発電機や、圧電素子（ピエゾ素子）に応力を加えて発電するピエゾ発電機、さらには太陽電池、熱発電素子などの各種の発電装置が利用できる。このような発電装置では、使用状態によって発電装置が停止する場合があるため、本発明を適用すれば、発電装置が作動し始めるシステム立上り時の起動時間を短縮でき、効果的である。
【００１７】
　この際、前記電力供給制御装置は、蓄電装置の電圧と設定電圧とを比較する比較回路と、前記比較回路の作動および停止動作を制御する作動制御装置とを備えることが好ましい。
【００１８】
　このように構成すれば、蓄電装置の電圧が設定電圧に達し、電力供給が開始された後に、作動制御装置で比較回路を停止させることができ、比較回路は蓄電装置の電圧の比較が必要な場合のみ作動させておくことができるので、電力供給制御装置での消費電力を低減でき、電子機器の省エネルギー化をはかることができる。
【００１９】
　また、電子機器の電子回路は、前記電力供給制御装置を介して供給される蓄電装置の電圧で駆動される定電圧回路と、この定電圧回路の出力によって駆動される発振回路と、前記発振回路が発振しているか否かを検出して発振検出信号を出力する発振検出回路とを備えるとともに、前記作動制御装置は、発振検出回路の発振検出信号に応じて前記比較回路の作動および停止動作を制御することが好ましい。
【００２０】
　この際、前記作動制御装置は、発振回路が発振している間は前記比較回路を停止させ、発振停止中は比較回路を作動させることが好ましい。
【００２１】
　例えば、ゼンマイ駆動の発電装置の場合、ゼンマイが開放されていくと徐々に発電電圧が低くなる。この際、発振検出回路の発振検出信号に応じて比較回路の作動および停止動作を制御できるため、発振回路の発振が停止した場合に、初めて比較回路を作動させることができ、発振回路の動作中は比較回路を停止することができる。これにより、発振回路が停止するまで電子回路に電力供給を継続でき、発振回路やＩＣ等の電子回路の作動時間を長くすることができる。
【００２２】
　この際、前記作動制御装置は、発振検出回路の出力信号によって比較回路を作動・停止させるものに限らず、他の信号、例えば、一定間隔で所定の信号を出力するタイマ等からの信号に基づいて前記比較回路の作動・停止させるものでもよい。
【００２３】
　また、前記電力供給制御装置は、蓄電装置から電子回路に電力が供給されていない場合は、蓄電装置の電圧が上昇して第１の設定電圧以上になった際に前記蓄電装置から電子回路に電力を供給し、蓄電装置から電子回路に電力が供給されている場合は、第１の設定電圧以下に設定された第２の設定電圧よりも蓄電装置の電圧が小さくなった際に前記蓄電装置から電子回路への電力供給を停止するものでもよい。
【００２４】
　このような場合は、システム立上げ時等の蓄電装置から電子回路に電力が供給されていない場合は、第１の設定電圧以上となったら、電子回路に電力を供給する。一方、システム終了時等の蓄電装置から電子回路に電力が供給されている場合は、その電圧が低下して第２の設定電圧以下となったら、電子回路への電力供給を停止する。このため、第２の設定電圧を適宜設定することで、電子回路に電力を供給するまでの時間を長くでき、発振回路やＩＣ等の電子回路の作動時間を長くすることができる。また、第２の設定電圧つまりシステムを停止させる電圧値を自由に設定できるため、例えば、ＩＣ等が安定して動作する電圧値が確保できる間のみ電子回路を作動させることもでき、ＩＣ等の電子回路の特性に応じて停止電圧を設定することで、電子回路を安定して作動できる。
【００２５】
　さらに、前記電子回路には発振回路が設けられ、前記電力供給制御装置は、蓄電装置の電圧が第１の設定電圧以上に上昇した際に前記蓄電装置から電子回路に電力を供給するとともに、蓄電装置の電圧が小さくなって前記発振回路が停止した際に前記蓄電装置から電子回路への電力供給を停止するものでもよい。
【００２６】
　このような場合も発振回路が停止するまで電子回路に電力を供給することができるとともに、発振回路が停止すると蓄電装置から電子回路への電力供給が停止されるので、無駄な電力が供給されず、蓄電装置の電圧低下が少なくなり、次の発電時等による蓄電装置の電圧が早期に高まって、発振回路の発振が素早く行われる。
【００２７】
　本発明の電子制御式時計は、前述の電子機器と、この電子機器の電子回路で調速制御される指針等の時刻表示装置とを備えることを特徴とするものである。
【００２８】
　このような電子制御式時計においては、電子機器の作動開始までの時間を短縮できるため、時刻表示装置の調速制御も迅速に行うことができる。このため、針合わせ操作からの復帰時にも、迅速に通常の制御状態に戻すことができ、針合わせからの復帰時の時間指示の誤差も低減することができる。
【００２９】
　また、電子制御式時計としては、前記発電装置が輪列等の機械エネルギー伝達手段を介して連結される機械的エネルギ源で駆動され、前記時刻表示装置が前記機械エネルギー伝達手段に結合されて前記電子回路で発電装置を制御することで調速されるもの、つまり電子制御式機械時計でもよい。
【００３０】
　電子制御式機械時計は、蓄電装置（コンデンサ）の容量が小さいため、針合わせなどで３〜５分以上発電装置を停止した場合でも、蓄電装置が放電されて電子回路も停止してしまう。このため、本発明を電子制御式機械時計に適用すれば、針合わせ操作等で蓄電装置が放電された場合でも、迅速に蓄電装置を充電して電子回路を作動させることができるので、針合わせ操作からの復帰時等の時間指示の誤差も低減することができる。
【００３１】
　本発明の電源制御方法は、電源装置と、この電源装置からの電力が蓄積される蓄電装置と、この蓄電装置からの電力で駆動される電子回路とを備える電子機器における電源制御方法であって、前記蓄電装置の電圧が設定電圧に達するまでは前記蓄電装置から前記電子回路に電力を供給せず、蓄電装置の電圧が設定電圧以上になった際に前記蓄電装置から前記電子回路に電力を供給することを特徴とするものである。
【００３２】
　この際、前記電源装置は発電装置であり、この発電装置の作動が開始された際に、前記蓄電装置の電圧が設定電圧に達するまでは前記蓄電装置から前記電子回路に電力を供給せず、蓄電装置の電圧が設定電圧以上になった際に前記蓄電装置から前記電子回路に電力を供給することが好ましい。
【００３３】
　このような本発明によれば、電源装置からの供給電力（例えば、発電装置の作動開始時の発電電力等）のほとんどすべてを蓄電装置に供給できるため、蓄電装置の電圧をＩＣ等の電子回路が確実に動作できる電圧までに蓄積する時間を短縮することができ、ＩＣや発振回路等の電子回路が作動されるまでの時間を短縮することができる。
【００３４】
　この際、前記蓄電装置の電圧が低下して第２の設定電圧よりも小さくなった際に、前記蓄電装置から電子回路への電力供給を停止することが好ましい。
【００３５】
　また、前記電子回路には発振回路が設けられ、前記蓄電装置の電圧が低下して前記発振回路が停止した際に、前記蓄電装置から電子回路への電力供給を停止してもよい。
【００３６】
　これらの制御方法を採用することで、電子回路に電力を供給するまでの時間を長くでき、発振回路やＩＣ等の電子回路の作動時間を長くすることができる。
【発明の効果】
【００３７】
　本発明の電子機器、電子制御式時計および電源制御方法によれば、発電装置等の電源装置が作動し始めた際に、ＩＣや発振回路等の電子回路を迅速に作動させることができる。
【発明を実施するための最良の形態】
【００３８】
　以下に、本発明の実施形態を図面に基づいて説明する。
【００３９】
　図１には、本発明の一実施形態の電子制御式機械時計を示すブロック図が示されている。
電子制御式機械時計は、機械的エネルギ源としてのゼンマイ１ａと、ゼンマイ１ａのトルクを電源装置である発電機２０に伝達する機械エネルギー伝達手段としての増速輪列７と、増速輪列７に連結されて時刻表示を行う時刻表示装置である指針１３とを備えている。
【００４０】
　発電機２０は、増速輪列７を介してゼンマイ１ａによって駆動され、誘起電力を発生して電気的エネルギを供給する。この発電機２０からの交流出力は、昇圧整流、全波整流、半波整流、トランジスタ整流等の少なくとも一つを有する整流回路２１を通して整流され、必要に応じて昇圧されコンデンサ等で構成された電力供給回路２２に充電供給される。
【００４１】
　この発電機２０は、回転制御装置５０によって調速制御されている。発電機２０を調速制御することで、増速輪列７を介して発電機２０に連結された指針１３の運針も調速されるため、発電機２０は調速機を兼用している。
【００４２】
　具体的には、本実施形態では、図２にも示すように、ブレーキ回路１２０を発電機２０に設けている。ブレーキ回路１２０は、発電機２０で発電された交流信号（交流電流）が出力される第１の交流出力端子ＭＧ１と、第２の交流出力端子ＭＧ２とを短絡等によって閉ループさせてショートブレーキを掛けるスイッチ１２１により構成され、このブレーキ回路１２０は図１に示す調速機を兼用した発電機２０に組み込まれている。スイッチ１２１は、チョッピング信号（チョッピングパルス）ＣＨ３によって断続されるアナログスイッチや半導体スイッチ（バイラテラルスイッチ）等で構成されている。
【００４３】
　そして、発電機２０に接続された昇圧用のコンデンサ１２３、ダイオード１２４，１２５、スイッチ１２１を備えて昇圧整流回路２１（図１では整流回路２１）が構成されている。なお、ダイオード１２４，１２５としては、一方向に電流を流す一方向性素子であればよく、その種類は問わない。特に、電子制御式機械時計では、発電機２０の起電圧が小さいため、ダイオード１２５としては降下電圧Ｖｆが小さいショットキーバリアダイオードを用いることが好ましい。また、ダイオード１２４としては、逆リーク電流が小さいシリコンダイオードを用いることが好ましい。
【００４４】
　そして、この整流回路２１で整流された直流信号は、電力供給回路２２のコンデンサ３０に充電される。前記ブレーキ回路１２０は、電力供給回路２２から供給される電力によって駆動される回転制御装置５０により制御されている。
【００４５】
　回転制御装置５０は、図１に示すように、電子回路である発振回路５１、回転検出回路５３、制御回路５６を備えて構成されている。
【００４６】
　発振回路５１は、時間標準源である水晶振動子５１Ａを用いて発振信号（３２７６８Ｈｚ）を出力し、この発振信号は１２段のフリップフロップからなる分周回路５２によってある一定周期まで分周される。分周回路５２の１２段目の出力Ｑ１２は、８Ｈｚの基準信号ｆｓとして出力されている。
【００４７】
　回転検出回路５３は、発電機２０に接続された波形整形回路６１とモノマルチバイブレータ６２とで構成されている。波形整形回路６１は、アンプ、コンパレータで構成され、正弦波を矩形波に変換する。モノマルチバイブレータ６２は、ある周期以下のパルスだけを通過させるバンドパス・フィルターとして機能し、ノイズを除去した回転検出信号ＦＧ１を出力する。
【００４８】
　制御回路５６は、制動制御手段であるアップダウンカウンタ５４と、同期回路７０と、チョッピング信号発生部８０とを備えている。
【００４９】
　アップダウンカウンタ５４のアップカウント入力およびダウンカウント入力には、回転検出回路５３の回転検出信号ＦＧ１および分周回路５２からの基準信号ｆｓが同期回路７０を介してそれぞれ入力されている。
【００５０】
　同期回路７０は、４つのフリップフロップ７１やＡＮＤゲート７２からなり、分周回路５２の５段目の出力（１０２４Ｈｚ）や６段目の出力（５１２Ｈｚ）の信号を利用して、回転検出信号ＦＧ１を基準信号ｆｓ（８Ｈｚ）に同期させるとともに、これらの各信号パルスが重なって出力されないように調整している。
【００５１】
　アップダウンカウンタ５４は、４ビットのカウンタで構成されている。アップダウンカウンタ５４のアップカウント入力には、前記回転検出信号ＦＧ１に基づく信号が同期回路７０から入力され、ダウンカウント入力には、前記基準信号ｆｓに基づく信号が同期回路７０から入力される。これにより、基準信号ｆｓおよび回転検出信号ＦＧ１の計数と、その差の算出とが同時に行えるようになっている。
【００５２】
　なお、このアップダウンカウンタ５４には、４つのデータ入力端子（プリセット端子）Ａ〜Ｄが設けられており、端子Ａ，Ｂ，ＤにＨレベル信号が入力されていることで、アップダウンカウンタ５４の初期値（プリセット値）がカウンタ値「１１」に設定されている。
【００５３】
　また、アップダウンカウンタ５４のＬＯＡＤ入力端子には、電力供給回路２２のコンデンサ３０に接続されてコンデンサ３０に最初に電力が供給された際に、システムリセット信号ＳＲを出力する初期化回路９１が接続されている。なお、本実施形態では、初期化回路９１は、コンデンサ３０の充電電圧が所定電圧になるまではＨレベルの信号を出力し、所定電圧以上になればＬレベルの信号を出力するように構成されている。
【００５４】
　アップダウンカウンタ５４は、ＬＯＡＤ入力つまりシステムリセット信号ＳＲがＬレベルになるまでは、アップダウン入力を受け付けないため、アップダウンカウンタ５４のカウンタ値は「１１」に維持される。
【００５５】
　アップダウンカウンタ５４は、４ビットの出力ＱＡ〜ＱＤを有している。従って、カウンタ値が「１２」以上であれば、３，４ビット目の出力ＱＣ，ＱＤは共にＨレベル信号を出力し、カウンタ値が「１１」以下であれば、３，４ビット目の出力ＱＣ，ＱＤの少なくとも一方は必ずＬレベル信号を出力する。
【００５６】
　従って、出力ＱＣ，ＱＤが入力されるＡＮＤゲート１１０の出力ＬＢＳは、アップダウンカウンタ５４のカウンタ値が「１２」以上であればＨレベル信号となり、カウンタ値が「１１」以下であればＬレベル信号となる。この出力ＬＢＳは、チョッピング信号発生部８０に接続されている。
【００５７】
　なお、出力ＱＡ〜ＱＤが入力されたＮＡＮＤゲート１１１およびＯＲゲート１１２の各出力は、同期回路７０からの出力が入力されるＮＡＮＤゲート１１３にそれぞれ入力されている。従って、例えばアップカウント信号の入力が複数個続いてカウンタ値が「１５」になると、ＮＡＮＤゲート１１１からはＬレベル信号が出力され、さらにアップカウント信号がＮＡＮＤゲート１１３に入力されても、その入力はキャンセルされてアップダウンカウンタ５４にアップカウント信号がそれ以上入力されないように設定されている。同様に、カウンタ値が「０」になると、ＯＲゲート１１２からはＬレベル信号が出力されるため、ダウンカウント信号の入力はキャンセルされる。これにより、カウンタ値が「１５」を越えて「０」になったり、「０」を越えて「１５」になったりしないように設定されている。
【００５８】
　チョッピング信号発生部８０は、３つのＡＮＤゲート８２〜８４で構成され、分周回路５２の出力Ｑ５〜Ｑ８を利用して第１のチョッピング信号ＣＨ１を出力する第１チョッピング信号発生手段８１と、２つのＯＲゲート８６，８７で構成され、分周回路５２の出力Ｑ５〜Ｑ８を利用して第２のチョッピング信号ＣＨ２を出力する第２チョッピング信号発生手段８５と、前記アップダウンカウンタ５４からの出力ＬＢＳと、第２チョッピング信号発生手段８５の出力ＣＨ２とが入力されるＡＮＤゲート８８と、このＡＮＤゲート８８の出力と前記第１チョッピング信号発生手段８１の出力ＣＨ１とが入力されるＮＯＲゲート８９とを備えている。
【００５９】
　このチョッピング信号発生部８０のＮＯＲゲート８９からの出力ＣＨ３は、Ｐｃｈトランジスタ等からなるスイッチ１２１のゲート等に入力されている。従って、出力ＣＨ３からＬレベル信号が出力されると、スイッチ１２１はオン状態に維持され、発電機２０がショートされてブレーキが掛かる。
【００６０】
　一方、出力ＣＨ３からＨレベル信号が出力されると、スイッチ１２１はオフ状態に維持され、発電機２０にはブレーキが加わらない。従って、出力ＣＨ３からのチョッピング信号によって発電機２０をチョッピング制御することができ、このチョッピング信号を出力するチョッピング信号発生部８０を含んで、スイッチ１２１を断続してチョッピングする回転制御装置５０が構成されている。
【００６１】
　そして、アップダウンカウンタ５４の出力ＬＢＳからＬレベル信号が出力されている場合（カウント値「１１」以下）には、ＡＮＤゲート８８からの出力もＬレベル信号となるため、ＮＯＲゲート８９からの出力ＣＨ３は出力ＣＨ１が反転したチョッピング信号、つまりＨレベル信号（ブレーキオフ時間）が長く、Ｌレベル信号（ブレーキオン時間）が短いデューティ比（スイッチ１２１をオンしている比率）の小さなチョッピング信号となる。従って、基準周期におけるブレーキオン時間が短くなり、発電機２０に対しては、ほとんどブレーキが掛けられない、つまり発電電力を優先した弱ブレーキ制御が行われる。
【００６２】
　一方、アップダウンカウンタ５４の出力ＬＢＳからＨレベル信号が出力されている場合（カウント値「１２」以上）には、ＡＮＤゲート８８からの出力もＨレベル信号となるため、ＮＯＲゲート８９からの出力ＣＨ３は出力ＣＨ２が反転したチョッピング信号、つまりＬレベル信号（ブレーキオン時間）が長く、Ｈレベル信号（ブレーキオフ時間）が短いデューティ比の大きなチョッピング信号となる。従って、基準周期におけるブレーキオン時間が長くなり、発電機２０に対しては強ブレーキ制御が行われるが、一定周期でブレーキがオフされるためにチョッピング制御が行われ、発電電力の低下を抑えつつ制動トルクを向上することができる。以上のように、アップダウンカウンタ５４からの出力によって、チョッピング信号のデューティ比等を変えて強ブレーキ制御および弱ブレーキ制御を切り替えることで、発電機２０の調速制御が行われる。
【００６３】
　電力供給回路２２は、図３にも示すように、蓄電装置であるコンデンサ３０と、電力供給制御装置である電源カットオフ回路３１と、定電圧回路３２とを備えて構成されている。
【００６４】
　コンデンサ３０は、数μＦ〜数十μＦ、例えば１０μＦ程度の容量を備えるものであり、発電機２０で発電された電力が整流回路２１を介して蓄積される。従って、コンデンサ３０で蓄電装置（充電器）が構成されている。
【００６５】
　電源カットオフ回路３１は、比較回路であるコンパレータ３５と、作動制御装置であるスイッチ３６とを備えている。コンパレータ３５は、コンデンサ３０の出力電圧ＶＳＳＶと、予め設定された設定値（設定電圧Ｖ ｃｕｔｏｆｆ、例えば０．６５Ｖ）とを比較し、出力電圧ＶＳＳＶが設定値よりも小さい場合（非検出時）にはＬレベル信号を出力し、設定値を越えた場合（検出時）にはＨレベル信号を出力するように構成されている。
【００６６】
　このコンパレータ３５からの信号は、ラッチ回路３７で保持されてＯＲ回路３８に入力されている。ＯＲ回路３８には、後述する発振検出回路１７１から出力される発振検出信号が入力され、前記スイッチ３６はＯＲ回路３８の出力に応じて作動されるように構成されている。
【００６７】
　定電圧回路３２は、電源Ｖ ＳＳにより駆動され、電源Ｖ ＳＳよりも低く、かつ一定のレベルの電圧Ｖｒｅｇ（例えば０．５Ｖ）を出力する回路である。この定電圧回路３２は、整流回路２１や電源カットオフ回路３１を除くすべての回路（発振回路５１やロジック回路１７０等の電子回路）の駆動用電源となっている。
【００６８】
　ロジック回路（ＩＣ、集積回路）１７０には、分周回路５２や各種の制御回路５６等が含まれ、主に発電機２０のロータの回転状況等の情報を得て、ロータが一定の速度で回転するように発電機２０を調速制御している。
【００６９】
　このロジック回路１７０には、発振回路５１の発振状態を検出する発振検出回路１７１が設けられている。発振検出回路１７１は、発振回路５１が発振状態にある場合には、発振検出信号ＸＯＵＴとしてＨレベル信号を電源カットオフ回路３１と定電圧回路３２とに出力し、発振停止状態にある場合には、Ｌレベル信号を電源カットオフ回路３１と定電圧回路３２とに出力するように構成されている。
【００７０】
　発振検出回路１７１としては、このような動作をするものであればよく、例えば、図４に示すような回路が利用できる。すなわち、本実施形態の発振検出回路１７１は、図４に示すように、発振回路５１からの発振信号ＩＮ（分周回路５２の出力などのパルス信号）によって断続される２つのスイッチ１７２，１７３と、２つのコンデンサ１７４，１７５と、抵抗１７６と、２つのインバータ１７７，１７８とを備えて構成されている。
【００７１】
　各スイッチ１７２，１７３は、発振信号ＩＮによって断続されるが、一方のスイッチ１７３への信号はインバータ１７７を介して反転されるため、発振回路５１が発振しており、信号ＩＮがパルス信号の状態では、各スイッチ１７２，１７３は交互に断続される。これにより、各コンデンサ１７４，１７５が徐々に充電され、そのスイッチ１７３側の端子部分はＶｒｅｇ電圧（Ｌレベル）に近づく。このため、発振回路５１の発振中は、インバータ１７８を介すことで、発振検出回路１７１の出力信号ＸＯＵＴは、Ｈレベル信号となる。
【００７２】
　一方、発振回路５１が停止しており、信号ＩＮもＬレベルの状態であると、スイッチ１７２，１７３の一方は接続状態に維持され、他方は切断状態に維持される。このため、各コンデンサ１７４，１７５が充電されなくなるため、コンデンサ１７４，１７５の電荷は抵抗１７６を介して放電され、コンデンサ１７４，１７５のスイッチ１７３側の端子部分はＶ ＤＤ電圧（Ｈレベル）に近づく。このため、発振回路５１の停止中は、インバータ１７８を介すことで、発振検出回路１７１の出力信号ＸＯＵＴは、Ｌレベル信号となる。
【００７３】
　スイッチ３６は、本実施形態では、ＯＲ回路３８からＨレベル信号が入力されると接続（クローズ）され、Ｌレベル信号が入力されると切断（オープン）されるもの（例えば、Ｎ ｃｈトランジスタ）が用いられている。ＯＲ回路３８からＬレベル信号が出力されるのは、発振検出回路１７１からの発振検出信号がＬレベル信号（発振停止中）であり、かつラッチ回路３７つまりコンパレータ３５からの信号もＬレベル信号（コンデンサ３０の出力電圧ＶＳＳＶが設定電圧未満）の場合である。そして、このような場合には、スイッチ３６が切断されるため、定電圧回路３２への電力供給も停止され、電源Ｖ ＳＳの電圧も０Ｖとなる。
【００７４】
　一方、スイッチ３６は、発振検出回路１７１からＨレベル信号（発振回路５１が発振中の場合）が出力された場合、または、ラッチ回路３７つまりコンパレータ３５からの信号がＨレベル信号（コンデンサ３０の出力電圧ＶＳＳＶが設定電圧以上）の場合には、接続される。そして、コンデンサ３０の出力ＶＳＳＶが電源Ｖ ＳＳとして定電圧回路３２に出力されるようになっている。
【００７５】
　従って、発振検出回路１７１の発振検出信号ＸＯＵＴおよびコンパレータ３５の信号により、電源カットオフ回路３１のスイッチ３６が作動されて、電源カットオフ回路３１からの出力電圧が０ＶあるいはＶＳＳＶのいずれかに制御されている。
【００７６】
　また、コンパレータ３５には、その駆動を制御するスイッチ３９が接続されている。このスイッチ３９は、発振検出回路１７１の発振検出信号ＸＯＵＴがＨレベル（発振中）の場合に切断（オープン）されてコンパレータ３５を停止し、Ｌレベル（発振停止中）の場合に接続（クローズ）されてコンパレータ３５を駆動するように構成されている。具体的には、スイッチ３９は、上記動作を実現するＰ ｃｈトランジスタなどで構成されている。従って、コンパレータ３５は発振検出回路１７１が発振停止中のみ作動されるようになっている。但し、コンパレータ３５が停止しても、その停止前に出力された信号はラッチ回路３７で保持されるようになっている。
【００７７】
　なお、発振検出回路としては、発振状態にある場合にＬレベル信号を出力し、発振停止状態にある場合にＨレベル信号を出力するようなものを用いてもよい。
この場合には、その信号に応じて上記動作を行うように、各スイッチ３６，３９等を設定すればよい。
【００７８】
　次に、本実施形態の作用について、図５，６のフローチャートおよび図７のグラフをも参照して説明する。
【００７９】
　針合わせ操作やゼンマイ１ａが開放されて発電機２０が停止し、コンデンサ３０が放電されて０Ｖの状態から、ゼンマイ１ａを巻き上げたり、針合わせ操作を解除すると、発電機２０のロータが回転し、発電が開始される（ステップ１、以下ステップをＳと略す）。なお、コンデンサ３０が放電されている場合には、発振回路５１も停止しているため、発電開始時は、スイッチ３６は切断された状態に維持されている。
【００８０】
　発電機２０で発電された電力は、整流回路２１を介してコンデンサ３０に充電される。この際、発振回路５１は発振停止状態にあるため（Ｓ２）、スイッチ３９は接続され、コンパレータ３５は作動している（Ｓ３）。
【００８１】
　コンパレータ３５は、コンデンサ３０の出力ＶＳＳＶと設定値とを比較し、コンデンサ３０の出力ＶＳＳＶが設定値以上であるか否かを検出する（Ｓ４）。ここで、コンデンサ３０の出力ＶＳＳＶが設定値未満の場合には、コンパレータ３５からはＬレベル信号が出力され、発振回路５１も発振停止中であるため、スイッチ３６は切断状態に維持される。そのため、コンパレータ３５における電圧比較処理が続行される。
【００８２】
　なお、コンデンサ３０の出力ＶＳＳＶが設定値（検出電圧値：Ｖ ｃｕｔｏｆｆ）よりも小さい場合には（Ｓ４）、図７の範囲Ａ（システム立上り時）に示すように、コンデンサ３０の電圧（電源電圧）は発電機２０による充電に伴い徐々に高まる。この際、スイッチ３６が切断されているため、コンデンサ３０からの電力は、定電圧回路３２等には供給されないため、消費電力が小さくなり、コンデンサ３０の充電電圧も迅速に高まる。
【００８３】
　そして、コンデンサ３０の出力電圧ＶＳＳＶが設定値以上になると（Ｓ４）、図７のＢ時点（発振開始時点）に示すように、コンパレータ３５はＨレベル信号を出力し、スイッチ３６が接続される。これにより、電源カットオフ回路３１の出力Ｖ ＳＳはＶＳＳＶと同一になる（Ｓ５）。
【００８４】
　そして、出力Ｖ ＳＳによって定電圧回路３２が動作を開始し、発振回路５１やロジック回路１７０等のすべての回路に電圧Ｖｒｅｇを供給する（Ｓ６）。また、定電圧回路３２からの出力Ｖｒｅｇによって発振回路５１も動作を開始し、発振が開始される（Ｓ７）。
【００８５】
　発振回路５１が発振状態になると、発振検出回路１７１からＨレベル信号が出力され（Ｓ１０）、ロジック回路１７０等のすべての回路の動作が開始される（Ｓ１１）。
【００８６】
　さらに、発振検出回路１７１からのＨレベル信号により、スイッチ３９が切断され、コンパレータ（比較回路）３５が停止される（Ｓ１２）。このロジック回路１７０が作動されたシステム動作中は、図７の範囲Ｃ（システム動作中）に示すように、コンデンサ３０の電圧ＶＳＳＶと、電源カットオフ回路３１の出力電圧Ｖ ＳＳは同じ値であり、定電圧回路３２の出力Ｖｒｅｇは一定電圧を維持する。
【００８７】
　そして、ゼンマイ１ａが解けることなどで発電機２０の回転数が低下すると、出力ＶＳＳＶ、Ｖ ＳＳもともに低下する。さらに、これらの出力が電圧Ｖｒｅｇよりも低下すると、定電圧回路３２の入力Ｖ ＳＳが低下することで出力Ｖｒｅｇも出力ＶＳＳＶやＶ ＳＳと同じ値になる。
【００８８】
　この定電圧回路３２の出力Ｖｒｅｇがある電圧、例えば０．４Ｖに低下すると、図７の点Ｄ（発振停止）に示すように、発振回路５１の発振が停止し（Ｓ１３）、発振検出回路１７１の出力がＬレベル信号になる。
【００８９】
　すると、スイッチ３９が接続されてコンパレータ（比較回路）３５が動作を再開し（Ｓ１４）、コンデンサ３０の出力ＶＳＳＶはコンパレータ３５で比較検出される（Ｓ１５）。
【００９０】
　この際、コンデンサ３０の出力電圧ＶＳＳＶは、設定値Ｖ ｃｕｔｏｆｆよりも小さいために、コンパレータ３５の出力はＬレベル信号とされ、発振検出信号もＬレベルであることから、スイッチ３６は切断され、定電圧回路３２に供給される電圧Ｖ ＳＳも０Ｖ、つまり供給が停止される（Ｓ１６）。
【００９１】
　これにより、定電圧回路３２も動作を停止し、発振回路５１やロジック回路１７０への電圧Ｖｒｅｇの供給も停止し、すべての回路の動作が停止し（Ｓ１７）、全システムの動作を終了する。
【００９２】
　そして、ゼンマイ１ａが巻き上げられて発電が開始された場合には、上記処理（Ｓ１〜Ｓ１７）が繰り返される。
【００９３】
　なお、発振停止した際（Ｓ１３）には、通常、コンデンサ３０の出力電圧ＶＳＳＶは、設定値Ｖ ｃｕｔｏｆｆよりも小さいが、外乱などによって発振回路５１が一次的に停止した場合等、コンデンサ３０の出力電圧ＶＳＳＶが設定値Ｖｃｕｔｏｆｆ以上の可能性もある。このため、コンデンサ３０の出力電圧ＶＳＳＶが設定値以上の場合（Ｓ１５）には、発振停止かどうかを改めて確認している（Ｓ１３）。ここで、一時的な停止であり、再確認時に発振が停止していない場合には（Ｓ１３）、スイッチ３９が切断されてコンパレータ３５が停止する（Ｓ１２）。その後は、上記Ｓ１３〜Ｓ１５を繰り返すことになる。
【００９４】
　このような本実施形態によれば、次のような効果がある。
【００９５】
　１）電源カットオフ回路３１を設け、システムの立上り時に、コンデンサ３０の出力電圧ＶＳＳＶが設定値Ｖ ｃｕｔｏｆｆ以上になるまでは、定電圧回路３２への電圧供給をしないようにしたので、発電機２０の発電電力の殆どすべてをコンデンサ３０の充電に用いることができ、定電圧回路３２等へのリーク電流が発生しないため、コンデンサ３０を発振回路５１やロジック回路１７０等の電子回路を作動可能な電圧まで迅速に蓄電することができる。
【００９６】
　このため、発振回路５１やロジック回路１７０が作動するまでの時間も短縮でき、ロジック回路１７０等による発電機２０の調速制御、つまりは時計の運針制御も迅速に行うことができる。従って、針合わせ作業等で発電機２０が停止した状態から復帰する場合に、運針制御を行うまでの時間の遅れによる時刻指示の誤差を低減できて運針精度を向上することができる。
【００９７】
　２）コンデンサ３０の電圧ＶＳＳＶが設定値Ｖ ｃｕｔｏｆｆ以上になった際に、電圧Ｖｒｅｇを一度に発振回路５１に加えることができるので、発振回路５１を発振しやすくでき、発振するまでの時間も短縮することができる。すなわち、水晶発振回路５１は、図８に示すように、電圧Ｖ１を一度に加えると（時間ｔ１の状態）、発振を開始するのに対し、コンデンサ３０の電圧ＶＳＳＶの上昇に合わせて徐々に上昇する出力を連続的に加えた場合、出力Ｖ ＳＳが電圧Ｖ１と同じ値になる時間ｔ２でも発振せず、電圧Ｖ１よりも大きな電圧Ｖ２を加えた時間ｔ３にならないと発振を開始しない。これにより、より低い電圧Ｖ１で発振を開始できるため、発振を開始できるまでの時間ｔ１も電圧Ｖ２で発振開始する場合の時間ｔ３に比べて短縮できる。
【００９８】
　３）電源カットオフ回路３１は、発振検出回路１７１の発振検出信号で作動されるスイッチ３９によって、発振回路５１が発振している間は、コンパレータ３５に電力を供給せずに比較回路（コンパレータ３５）を停止させておくことができるので、消費電流を低減できて電子制御式機械時計の省エネルギー化をはかることができる。
【００９９】
　４）さらに、電源カットオフ回路３１は発振が停止するまで作動されないため、コンデンサ３０の出力電圧ＶＳＳＶが設定値Ｖ ｃｕｔｏｆｆ以下に落ちても、出力Ｖｒｅｇの低下によって自然に発振回路５１が停止するまでは、発振回路５１やロジック回路１７０を作動し続けることができる。このため、ロジック回路１７０の作動時間つまり時計の運針時間を長くすることができる。
【０１００】
　なお、本発明は前述の実施形態に限定されるものではなく、本発明の目的を達成できる範囲での変形、改良等は本発明に含まれるものである。
【０１０１】
　例えば、前記実施形態では、スイッチ３９を電源Ｖ ＤＤ側に設けていたが、電源Ｖ ＳＳ側に設けてもよく、さらには各電源Ｖ ＳＳ、Ｖ ＤＤに対して設けてもよく、またスイッチ３９の種類もトランジスタ等を適宜選択すればよい。
要するに、スイッチ３９は、電圧検出が必要な場合のみ比較回路（コンパレータ３５）を作動するように構成されていればよい。
【０１０２】
　また、スイッチ３６は、発振検出回路１７１の出力で作動されるものに限らず、例えば定電圧回路３２の出力電圧に応じて作動するように構成してもよく、要するにロジック回路１７０や発振回路５１が動作している間は、接続されるように制御すればよい。さらに、所定間隔で信号を出力するタイマ等を設け、このタイマからの信号に基づいてスイッチ３６を断続して前記比較回路（コンパレータ３５）の作動・停止を制御してもよい。
【０１０３】
　さらに、電源カットオフ回路３１としては、スイッチ３９を設けずに、コンパレータ３５を作動させ続けてもよい。この場合、コンデンサ３０の電圧ＶＳＳＶが所定の設定値以下に低下した場合に、スイッチ３６を切断するように構成すればよい。
【０１０４】
　なお、この作動停止時の設定値は、システム開始時の設定値Ｖ ｃｕｔｏｆｆと同一でもよいが、図９に示すように、第１設定値Ｖ ｃｕｔｏｆｆ（例えば０．６５Ｖ）よりも小さな電圧の第２設定値（例えば０．４〜０．５）に設定すれば、前記実施形態と同様に、発振回路５１やロジック回路１７０の作動時間を長くすることができる。さらに、第２の設定値を用いた場合には、電力供給を停止する電圧値を設計者が自由に設定できるため、例えば、定電圧回路３２の出力Ｖｒｅｇが所定値（例えば０．５Ｖ）以下に低下する前に停止するように設定して、比較的高い電圧で電力供給を停止することもできる。この場合には、ロジック回路１７０等への供給電力の電圧値を所定レベル以上に維持することができ、温度条件などが変化してもＩＣが常に安定して動作するように構成することもできる。さらに、比較的高い電圧で電力供給を停止すれば、コンデンサ３０の充電電圧も比較的高く維持できるため、再起動時にコンデンサ３０の電圧を迅速に設定値以上に上昇することができ、再起動までの時間を短縮できる。
【０１０５】
　また、前記実施形態では、発振検出回路１７１からの発振検出信号によってコンパレータ３５を作動させてコンデンサ３０の電圧を設定値と比較して電力供給を制御していたが、発振回路５１が停止した際に、コンデンサ３０の電圧を比較することなく直接電源カットオフ回路３１を作動させて電力の供給を停止するようにしてもよい。
【０１０６】
　さらに、前記実施形態では、デューティ比の異なる２種類のチョッピング信号ＣＨ３をスイッチ１２１に入力してブレーキ制御していたが、例えば信号ＬＢＳを反転してスイッチ１２１に入力するなどして、チョッピング信号を用いずに、ブレーキ制御してもよい。また、前記実施形態では、発電機２０の各端子ＭＧ１，ＭＧ２間を閉ループさせてショートブレーキを掛けてブレーキ制御していたが、発電機２０に可変抵抗等を接続して発電機２０のコイルに流れる電流値を変えることでブレーキ制御してもよい。要するに、制御回路５６の具体的な構成は、図２に示すようなものに限らず、そのブレーキ方法に応じて適宜設定すればよい
。
【０１０７】
　また、発電機２０を駆動する機械的エネルギ源としては、ゼンマイ１ａに限らず、ゴム、スプリング、重錘、圧縮空気などの流体等でもよく、本発明を適用する対象などに応じて適宜設定すればよい。さらに、これらの機械的エネルギ源に機械的エネルギを入力する手段としては、手巻き、回転錘、位置エネルギ、気圧変化、風力、波力、水力、温度差等でもよい。
【０１０８】
　また、ゼンマイなどの機械的エネルギ源からの機械的エネルギを発電機に伝達する機械エネルギー伝達手段としては、前記実施形態のような輪列７（歯車）に限らず、摩擦車、ベルト（タイミングベルト等）及びプーリ、チェーン及びスプロケットホイール、ラック及びピニオン、カムなどを利用したものでもよく、本発明を適用する電子制御式時計等の各種電子機器の種類などに応じて適宜設定すればよい。
【０１０９】
　また、時刻表示装置としては、指針１３に限らず、円板、円環状や円弧形状のものを用いてもよい。さらに、液晶パネル等を用いたデジタル表示式の時刻表示装置を用いてもよい。
【０１１０】
　さらに、電源装置としては、ゼンマイによりロータを回転させて電磁変換により発電する前記発電機２０に限らず、回転錘、圧電素子（ピエゾ素子）、太陽電池、熱発電素子等を用いた各種発電装置を利用してもよい。また、電源装置としては、発電装置に限らず、商用電源やカーバッテリー等の各種電源装置を用いてもよい。
【０１１１】
　すなわち、本発明の電子制御式時計は、回転錘、圧電素子、太陽電池、熱発電素子等の各種発電装置や商用電源やカーバッテリー等の各電源等からなる電源装置と、これらの発電装置で発電された電力や電源から供給される電力を蓄電するコンデンサ等の蓄電装置を有する各種の電子制御式時計にも適用することができる。これらの時計においても、本発明を適用すれば、電源装置が作動し始めるシステム立上り時の起動時間を短縮することができ、調速精度の誤差を非常に小さくすることができる。
【０１１２】
　また、本発明は、時計に限らず、置き時計、クロック等の時計、携帯型の血圧計、携帯電話機、ページャ、万歩計、電卓、携帯用パーソナルコンピュータ、電子手帳、携帯ラジオ、オルゴール、メトロノーム、流量計、液体吐出装置等にも適用することができる。要するに発電装置等の電源装置と、蓄電装置と、電力を消費するＩＣ等の電子回路とを有する電子機器であれば広く適用できる。特に、本発明は、時計以外では、オルゴールや流量計、液体吐出装置などの低速度で回転制御されるために発電電圧がそれほど高くない発電機等を備えた電子機器に適している。
【図面の簡単な説明】
【０１１３】
【図１】本発明の一実施形態における電子制御式時計の要部を示すブロック図である。
【図２】前記実施形態の制御回路の構成を示す回路図である。
【図３】前記実施形態の要部を示す回路図である。
【図４】図３に示す発振検出回路の構成を示す回路図である。
【図５】前記実施形態の電源制御方法を示すフローチャートである。
【図６】図４に示すフローチャートの続きを示すフローチャートである。
【図７】前記実施形態での各回路の出力電圧を示すグラフである。
【図８】前記実施形態の発電開始時の発振状態を説明するグラフである。
【図９】本発明の変形例の要部を示す回路図である。
【図１】
2004135497.tif 000003
【図２】
2004135497.tif 000004
【図３】
2004135497.tif 000005
【図４】
2004135497.tif 000006
【図５】
2004135497.tif 000007
【図６】
2004135497.tif 000008
【図７】
2004135497.tif 000009
【図８】
2004135497.tif 000010
【図９】
2004135497.tif 000011